(57)【特許請求の範囲】
【請求項１】
ハダニが付着可能な付着材を農作物の葉の上方に設置し、
ハダニが伝って移動可能なハダニ誘導部材を付着材と農作物の葉の間に配置し、
ハダニ誘導材を伝って農作物の葉から付着材へ移動し、付着材に付着した害虫ハダニを捕集するようにしたことを特徴とするハダニ除去方法。
【請求項２】
農作物に害虫ハダニを捕食する天敵ダニを散布し、
害虫ハダニと天敵ダニを付着材に付着させて捕集し、
害虫ハダニと天敵ダニが付着した付着材を密閉容器に装填して密閉容器内で天敵ダニが害虫ハダニを捕食するようにしたことを特徴とする請求項１に記載の害虫ハダニ除去方法。
【請求項３】
ハダニが付着可能な付着材と、
付着材を農作物の葉の上方に設置する付着材支持部材と、
農作物の葉と、付着材支持部材で農作物の葉の上方に設置した付着材との間に配置され、農作物の葉に寄生したハダニが伝って付着物まで移動可能なハダニ誘導部材とを備えたことを特徴とする害虫ハダニ除去具。
【請求項４】
付着材を上端開口から取り出し可能に装填できる筒部材を備え、
付着材支持部材をハダニが伝って移動可能な材質で構成するとともに、一端を筒部材に連結し、
付着材支持部材の他端を接地して筒部材を農作物の葉の上方に設置するように構成したことを特徴とする請求項３に記載のハダニ除去具。
【請求項５】
前記付着材が糸の塊又布であることを特徴とする請求項３に記載のハダニ除去具。
【請求項６】
ハダニ誘導部材として、農作物の葉と、農作物の葉の上方に設置された付着材との間に配置され、害虫ハダニが伝って移動可能なハダニ誘導紐材を備えたことを特徴とする請求項３に記載の害虫ハダニ除去具。
【請求項７】
前記付着材支持部材が伸縮可能であることを特徴とする請求項３に記載の害虫ハダニ除去具。
【請求項８】
筒部材の底面に付着材支持部材を連結し、筒部材の底面と周面の連接部及び筒部材の上端面と周面の連接部に面取り加工を施したことを特徴とする請求項４に記載の害虫ハダニ除去具。
【発明の詳細な説明】
【技術分野】
【０００１】
本発明は、イチゴ、ナス、トマト等の農作物の葉に寄生するハダニの除去方法及び除去具に関する。
【背景技術】
【０００２】
農作物、とりわけイチゴ栽培ではハダニの発生が収穫の多寡に大きく影響する。ハダニがイチゴの葉に寄生して多発すると、葉が食害のために生気を失い、褐色に変色したり、果実に寄生して果実が着色不良になるので、イチゴの収穫が大きく低下する。
従来、この種のハダニは殺ダニ剤を散布して除去するか、ハダニを捕食する天敵ダニを散布して除去している。
【先行技術文献】
【特許文献】
【０００３】
【特許文献１】特開２００６−１０９７２６号公報
【特許文献２】特開２００７−２９７２９３号公報
【特許文献３】特開２００７−３２５５４１号公報
【発明の概要】
【発明が解決しようとする課題】
【０００４】
ハダニは主として葉の裏側に寄生するが、イチゴの葉は重なっていたり、地面に接しているので、殺ダニ剤を散布しても葉の裏側には散布むらが生じ易く、十分な殺ダニ効果が得られない。
【０００５】
同一系統の殺ダニ剤を連続して使用すると薬剤抵抗性がハダニに生じて殺ダニ効果が低下するので、薬剤の系統に注意して使用しなければならない。また、薬剤濃度が高いとイチゴに薬害が発生するので、薬剤の濃度にも注意しなければならない。
【０００６】
天敵ダニにはチリカブリダニとミヤコカブリダニがあるが、いずれの天敵ダニも高価であり、天敵ダニを使用するとイチゴの生産コストが高くなる。また、アブラムシ類、スリップス類、コナジラミなども含めた総合的な除去体系が成されていないと十分な除去効果を得ることができない。
【０００７】
本発明はかかる問題点に鑑み、殺ダニ剤を使用しなくても低コストで効率的に害虫ハダニを除去できる害虫ハダニの除去方法及び除去具を提供することを目的とする。
【課題を解決するための手段】
【０００８】
請求項１に記載の発明に係る害虫ハダニ除去方法は、ハダニが付着可能な付着材を農作物の葉の上方に設置し、
ハダニが伝って移動可能なハダニ誘導部材を付着材と農作物の葉の間に配置し、
ハダニ誘導材を伝って農作物の葉から付着材へ移動し、付着材に付着した害虫ハダニを捕集するようにしたことを特徴とする。
【０００９】
請求項２に記載の発明は、請求項１に記載の害虫ハダニ除去方法において、
農作物に害虫ハダニを捕食する天敵ダニを散布し、
害虫ハダニと天敵ダニを付着材に付着させて捕集し、
害虫ハダニと天敵ダニが付着した付着材を密閉容器に装填して密閉容器内で天敵ダニが害虫ハダニを捕食するようにしたことを特徴とする。
【００１０】
請求項３に記載の発明に係る害虫ハダニ除去具は、
ハダニが付着可能な付着材と、
付着材を農作物の葉の上方に設置する付着材支持部材と、
農作物の葉と、付着材支持部材で農作物の葉の上方に設置した付着材との間に配置され、農作物の葉に寄生したハダニが伝って付着物まで移動可能なハダニ誘導部材とを備えたことを特徴とする。
【００１１】
請求項４に記載の発明に係る害虫ハダニ除去具は、請求項３に記載のハダニ除去具において、
付着材を上端開口から取り出し可能に装填できる筒部材を備え、
付着材支持部材をハダニが伝って移動可能な材質で構成するとともに、一端を筒部材に連結し、
付着材支持部材の他端を接地して筒部材を農作物の葉の上方に設置するように構成したことを特徴とする。
【００１２】
請求項５に記載の発明は、請求項３に記載のハダニ除去具において、前記付着材が糸の塊又布であることを特徴とする。
【００１３】
請求項６に記載の発明は、請求項３に記載の害虫ハダニ除去具において、ハダニ誘導部材として、農作物の葉と、農作物の葉の上方に設置された付着材との間に配置され、害虫ハダニが伝って移動可能なハダニ誘導紐材を備えたことを特徴とする。
【００１４】
請求項７に記載の発明は、請求項４に記載の害虫ハダニ除去具において、前記付着材支持部材が伸縮可能であることを特徴とする。
【００１５】
請求項８に記載の発明は、請求項４に記載の害虫ハダニ除去具において、筒部材の底面に付着材支持部材を連結し、筒部材の底面と周面の連接部及び筒部材の上端面と周面の連接部に面取り加工を施したことを特徴とする。
【発明の効果】
【００１６】
本願発明の発明者はイチゴ栽培に長年従事するなかで以下の知見を得た。すなわち、害虫ハダニは発生初期は地面に接した下葉に寄生し、徐々に上位の葉に登って来ることから、害虫ハダニにはそもそも上方へ移動する習性があるものと推測される。本発明はかかる知見に基づいて成されたものである。
請求項１に記載の害虫ハダニの除去方法によれば、付着材を農作物の葉の上方に設置し、ハダニ誘導部材を付着材と農作物の葉の間に配置するので、農作物の葉に寄生した害虫ハダニがその習性で、ハダニ誘導部材を伝って葉の上方にある付着物へ移動する。このため、害虫ハダニを付着物に付着させて効率的に捕集することができる。付着材は毎日交換し、害虫ハダニが付着した付着材を密閉容器に入れて２週間程度放置すれば密閉容器内で害虫ハダニは死滅する。
【００１７】
請求項２に記載の発明によれば、害虫ハダニとともに散布した天敵ダニが付着材で捕集される。この付着材を密閉容器に入れて４日間程度放置しておくと、密閉容器の中で害虫ハダニが天敵ダニに捕食されて消滅する。害虫ハダニが消滅した後、密閉容器から付着材を取り出す。付着材に付着している天敵ダニは再び葉に散布して再利用できるので、農作物の生産コストを低減できる。
【００１８】
請求項３に記載の発明に係る害虫ハダニ除去具を使用して、例えばイチゴの葉に寄生した害虫ハダニを除去するには、付着材を付着材支持部材でイチゴの葉の上方に設置し、ハダニ誘導部材を付着材とイチゴの葉の間に配置する。すると、イチゴの葉に寄生した害虫ハダニが習性に従ってハダニ誘導部材を伝って上り、付着材に付着する。
請求項３に記載の発明に係る害虫ハダニ除去具によれば、ハダニが上方へ移動する習性を利用するので、害虫ハダニを効率的に付着材で捕集して除去することができる。
【００１９】
請求項４に記載の発明に係る害虫ハダニ除去具は、付着材支持支柱の下端部を農作物の畝に接地して、付着材を装填した筒部材を農作物の葉の上方に設置する。農作物の葉に寄生したハダニは付着材支持支柱を伝って付着物へ移動し、付着材に付着する。害虫ハダニが付着した付着材は筒材から取り出して密閉容器に詰め、付着した害虫ハダニを死滅させる。
【００２０】
請求項５に記載の発明によれば、付着材として糸の塊又は布を使用するので、大量の害虫ハダニを付着材に付着させることができる。そのため効率的に害虫ハダニを捕集して除去できる。
【００２１】
請求項６に記載の発明に係るハダニ除去具は付着材支持支柱で付着材を葉の上方に設置し、ハダニ誘導紐を葉に垂らす。
請求項６に記載の発明によれば、害虫ハダニがハダニ誘導紐を伝って付着材まで上って来るので、効率的に害虫ハダニを付着材で捕集して除去できる。
【００２２】
請求項７に記載の発明によれば、付着材支持部材を伸縮させるとこにより、農作物の生育状態に合せて付着材を葉の上方の適切な位置に設置できるので、より効率的に害虫ハダニを付着材で捕集して除去できる。
【００２３】
請求項８に記載の発明によれば、害虫ハダニが付着材支持部材を伝って筒材の底面まで上り、さらに筒材の周面を伝って上端開口から付着材へ移動し、付着材で捕集される。
害虫ハダニの移動経路の途中に角部を存在すると、害虫ハダニがその先へ移動し難くなるが、筒材の周面と底面及び周面と上端面の連接部に面取り加工を施して角部を無くしたので、害虫ハダニを円滑に付着材へ誘導することができる。
【図面の簡単な説明】
【００２４】
【図１】本発明の実施例に係るハダニ除去具を示す斜視図である。
【図２】同ハダニ除去具の筒部材と付着布を示す拡大断面図である。
【図３】同ハダニ除去具のクリップを示す拡大断面図である。
【図４】同ハダニ除去具の使用方法を示す説明図である。
【図５】同ハダニ除去具の畳んだ状態を示す側面図である。
【図６】同ハダニ除去具の他の使用方法を示す説明図である。
【実施例】
【００２５】
以下に本発明を図面に基づき説明する。図１には本発明の実施例に係る害虫ハダニ除去具１０が示されている。当該害虫ハダニ除去具１０は、筒部材１１と、筒部材１１に装填した付着布１２と、４本の筒部材支持支柱１３及び２本のハダニ誘導被覆電線１４を備えている。
【００２６】
図２に示すように、筒部材１１は底面を開口した大径筒部１１ａと、上端面を開口した小径筒部１１ｂから成り、大径筒部１１ａと小径筒部１１ｂはプラスチック材料で一体成形されている。このプラスチック材料はハダニが伝って移動可能な材質が用いられている。大径筒部１１ａの底面開口１１ｃと周面１１ｄとの連接部１１ｅ及び小径筒部１１ｂの上端面開口１１ｆと周面１１ｇとの連接部１１ｈは面取り加工が施されている。大径筒部１１ａには、底面開口１１ｃからゴム栓１５が圧入されている。小径筒部１１ｂには上端面開口１１ｆから付着布１２が装填されている。この付着布１２は織り目の粗い布材が使用され、この布材が丸められて、小径筒部１１ｂに挿入されている。
【００２７】
各筒部材支持支柱１３は、上下２本のプラスチック製の棒材１３ａ，１３ｂから成る。筒部材支持支柱１３のプラスッチク材料にはハダニが伝って移動可能な材質が用いられている。図２に示すように、上側の棒材１３ａの上端部には屈曲部１３ｃが形成されている。屈曲部１３ｃはゴム栓１５の貫通穴１５ａに圧入されている。
【００２８】
上側の棒材１３ａの下端部と下側の棒材１３ｂがクリップ片１６で連結されている。図３に示すように、クリッ片１６は上側棒材１３ａの下端部に装着した軟質プラスチック製のスリーブ１７を挟み付けるように取り付けられている。スリーブ１７と上側棒材１３ａとの間の摩擦力によってクリップ片１６が上側棒材１３ａの下端部に固定されている。一方、クリップ片１６は下側棒材１３ｂに直接挟み付けられている。そのため、下側棒材１３ｂはクリップ片１６から進退させることができる。下側棒材１３ｂをクリップ片１６から進退させることにより、筒部材支持支柱１３の全長を伸縮させることができる。
【００２９】
図２に示すように、ゴム栓１５の底面にリング１８が固着されている。ハダニ誘導被覆電線１４はこのリング１８に挿通して筒部材１１に取付けられている。
【００３０】
本実施例に係る害虫ハダニ除去具１０の構造は以上の通りであって、以下にその使用方法を説明する。筒部材支持支柱１３の上側棒材１３ａの屈曲部１３ｃを回して、図１に示すように４本の筒部材支持支柱１３を拡開させる。拡開した筒部材支持支柱１３を図４に示すように、イチゴ２０の畝２１に下端部を接地して立設する。これにより筒部材１１に装填した付着布１２がイチゴの葉２２の上方に設置される。付着布１２の設置高さは筒部材支持支柱１３を伸縮させて調整する。ハダニ誘導被覆電線１４をリング１８から垂れ下げてイチゴの葉２２まで延ばし、一部は畝２１の地表面に接地する。
【００３１】
本実施例に係る害虫ハダニ除去具１０によれば、付着布１２をイチゴの葉２２の上方に設置し、筒部材支持支柱１３とハダニ誘導被覆電線１４を付着布１２とイチゴの葉２２の間に配置するので、イチゴの葉２２に寄生した害虫ハダニがその習性で、イチゴの葉２２や畝２１の地表面から筒部材支持支柱１３とハダニ誘導被覆電線１４を伝って葉２２の上方にある付着布１２へ移動する。このため、害虫ハダニを付着布１２に付着させて効率的に捕集することができる。
付着布１２は毎日交換し、害虫ハダニが付着した付着布１２をペットボトルのような密閉容器に入れて２週間程度放置すれば密閉容器内で害虫ハダニは死滅する。
害虫ハダニ除去具１０を使用しないときは、上側棒材１３ａの屈曲部１３ｃを回して図５に示すように、４本の筒部材支持支柱１３を束ねることができる。
【００３２】
本実施例に係る害虫ハダニ除去具１０によれば、害虫ハダニが筒部材支持支柱１３とハダニ誘導被覆電線１４を伝って筒部材１１の底面まで上り、さらに筒部材１１の周面１１ｄ，１１ｇを伝って上端開口１１ｆから付着布１２へ移動し、付着材で捕集される。
害虫ハダニの移動経路の途中に角部を存在すると、害虫ハダニがその先へ移動し難くなるが、筒部材１２の周面１１ｄと底面開口１１ｃの連接部１１ｅ及び筒部材１２の周面１１ｇと上端開口１１ｆの連接部１１ｈに面取り加工を施して角部を無くしたので、害虫ハダニを円滑に付着布１２へ誘導することができる。
【００３３】
本実施例に係る害虫ハダニ除去具１０の使用方法として、イチゴの葉２２に害虫ハダニを捕食するチリカブリダニやミヤコカブリダニ等の天敵ダニを散布し、図４に示すようにハダニ除去具１０をイチゴの畝２１に設置する。設置したハダニ除去具１０の付着布１２には害虫ハダニと天敵ダニが付着するので、害虫ハダニと天敵ダニが付着した付着布１２を密閉容器に入れて４日間程度放置しておく。この間に密閉容器の中で害虫ハダニが天敵ダニに捕食されて消滅する。害虫ハダニが消滅した後、密閉容器から付着１２を取り出す。付着１２に付着している天敵ダニは再びイチゴの葉２２に散布して再利用できるので、イチゴの生産コストを低減できる。
【００３４】
なお、本実施例に係る害虫ハダニ除去具１０では付着材として付着布１２を使用したが、毛糸等の糸材の塊を使用したり、粘着シートを使用することもできる。粘着シートを使用した場合、害虫ハダニが粘着シートに粘着するので、再び葉２２に戻るおそれがない。
【００３５】
また、本実施例に係るハダニ除去具１０では筒部材支持支柱１３とハダニ誘導被覆電線１４を伝ってハダニが付着布１２へ移動するように構成したが、筒部材支持支柱１３だけでもハダニを付着布１２まで誘導できるので、ハダニ誘導被覆電線１４を省略することが可能である。
さらにまた、本実施例に係るハダニ除去具１０では、４本の筒部材支持支柱１３を設けたが、筒部材支持支柱１３を１本だけ設け、それをイチゴの畝２１に突き立てるように構成しても良い。
また、ハダニ誘導部材として被覆電線１４を使用したが、害虫ハダニが伝って移動可能な材質であれば、これに代えてゴム紐やナイロン紐等の各種紐類を使用できる。そして、その形態も紐に限らず、シートやプレート等も使用できる。
【００３６】
本実施例に係る害虫ハダニ除去具１０では筒部材支持支柱１３で付着布１２を入れた筒部材１１をイチゴの葉２２の上方に設置したが、図６に示すように、イチゴの畝２１の上方に梁材２３を架設し、梁材２３から筒部材を吊り下げ、筒部材からハダニ誘導被覆電線１４を垂らしてイチゴの葉２２まで延ばす使用方法を採用することもできる。この場合、筒部材支持支柱１３を省略できる。
また、本実施例に係る害虫ハダニ除去具１０はイチゴの葉２２に寄生する害虫ハダニの除去に利用する場合について説明したが、ナス、トマト等イチゴ以外の農作物の葉に寄生するハダニの除去にも利用できる。
【符号の説明】
【００３７】
１０…ハダニ除去具
１１…筒部材
１２…付着布
１３…筒部材支持支柱
１４…ハダニ誘導被覆電線
２０…イチゴ
２１…イチゴの畝
２２…イチゴの葉
【図１】
0005441278.tif 000002
【図２】
0005441278.tif 000003
【図３】
0005441278.tif 000004
【図４】
0005441278.tif 000005
【図５】
0005441278.tif 000006
【図６】
0005441278.tif 000007